(57)【要約】      （修正有）【課題】電気解剖学的情報を表示するシステムを提供する。【解決手段】実施形態は、電気的インタフェース３５及びプロセッサ２８を含むシステム２０を含む。プロセッサは、電気的インタフェースを介して、対象の心臓内の電極からの心電図信号を受信し、心臓の表面のコンピュータモデル２２の座標系における電極の位置を確定し、選択部分がモデルの他の非選択部分に組み入れられるよう、この確定位置に応答可能にモデルの部分を選択し、非選択部分ではなく選択部分がマーキングされて、信号の特性を示すようにモデルを表示するよう構成されている。【選択図】図１
2019111333.tif 000002
【特許請求の範囲】
【請求項１】
システムであって、
電気的インタフェースと、
プロセッサであって、
前記電気的インタフェースを介して、対象の心臓内の電極からの心電図信号を受信することと、
前記心臓の表面のコンピュータモデルの座標系における前記電極の位置を確定することと、
前記確定位置に応答可能に前記モデルの部分を選択することであって、前記選択部分には、前記モデルの他の非選択部分が組み入れられるようにする、ことと、
前記非選択部分ではなく前記選択部分がマーキングされて、前記信号の特性を示すように前記モデルを表示することと、
を行うように構成されているプロセッサと、
を備えた、システム。
【請求項２】
前記プロセッサが、
前記確定位置から複数の光線を投影することと、
前記光線が前記モデルと交差する点に応答して、前記モデルの前記部分を選択することと、
により、前記モデルの前記部分を選択するよう構成されている、請求項１に記載のシステム。
【請求項３】
前記プロセッサが、前記モデルの前記部分の選択に際し、前記確定位置の前記モデルからの距離の減少関数として、前記選択部分の密度を設定するよう構成されている、請求項１に記載のシステム。
【請求項４】
前記プロセッサが、前記モデルの前記部分の選択に際し、前記確定位置の前記モデルからの距離の増加関数として、前記選択部分の分布を設定するよう構成されている、請求項１に記載のシステム。
【請求項５】
前記信号が第１の信号であり、前記電極が第１の電極であり、
前記プロセッサが、前記心臓内の第２の電極から第２の心電図信号を受信するよう更に構成されており、
前記プロセッサは、前記モデルの他の部分の少なくとも一部がマーキングされ、前記第２の信号の前記特性を示すように、前記モデルを表示するよう構成されている、
請求項１に記載のシステム。
【請求項６】
前記特性が第１の特性であり、前記プロセッサは、前記モデルの他の部分の少なくとも一部がマーキングされ、前記信号の第２の特性を示すように、前記モデルを表示するよう構成されている、請求項１に記載のシステム。
【請求項７】
前記プロセッサが、前記モデルの前記選択部分に色が付けられて、前記特性を示すように、前記モデルを表示するよう構成されている、請求項１に記載のシステム。
【請求項８】
前記信号の前記特性が前記信号の優位周波数である、請求項１に記載のシステム。
【請求項９】
前記プロセッサが、前記モデルの前記部分の選択に際し、前記優位周波数における、前記信号の周波数帯の特徴に応答可能に前記選択部分の密度を設定するよう構成されている、請求項８に記載のシステム。
【請求項１０】
前記プロセッサが、前記モデルの前記部分の選択に際し、前記優位周波数における、前記信号の周波数帯の特徴に応答可能に前記選択部分の分布を設定するよう構成されている、請求項８に記載のシステム。
【請求項１１】
前記信号の前記特性が前記信号の周期長である、請求項１に記載のシステム。
【請求項１２】
前記プロセッサは、前記選択部分の密度が、前記確定位置に最も近い前記モデル上の点からの距離に応じて低下するように、前記モデルの前記部分を選択するよう構成されている、請求項１に記載のシステム。
【発明の詳細な説明】
【技術分野】
【０００１】
本発明は、電気解剖学的情報の表示に関する。
【背景技術】
【０００２】
一部の電気解剖学的マッピング手順において、１つ又は２つ以上の電極を備えたカテーテルが、心臓内に挿入され、次に、これらの電極を使用して、心臓の表面からの心内心電図（ＥＣＧ）信号を得る。
【発明の概要】
【課題を解決するための手段】
【０００３】
本発明のいくつかの実施形態により、電気的インタフェース及びプロセッサを含むシステムが提供される。プロセッサは、電気的インタフェースを介して、対象の心臓内の電極からの心電図信号を受信することと、心臓の表面のコンピュータモデルの座標系における電極の位置を確定することと、この確定位置に応答可能にモデルの部分を選択することであって、選択部分には、モデルの他の非選択部分が組み入れられるようにする、ことと、非選択部分ではなく選択部分がマーキングされて、信号の特性を示すようにモデルを表示することと、を行うよう、構成されている。
【０００４】
一部の実施形態では、プロセッサは、
確定位置から複数の光線を投影することと、
当該光線がモデルと交差する点に応答して、モデルの当該部分を選択することと、
により、モデルの当該部分を選択するよう構成されている。
【０００５】
一部の実施形態では、プロセッサは、モデルの当該部分の選択に際し、確定位置のモデルからの距離の減少関数として、選択部分の密度を設定するよう構成されている。
【０００６】
一部の実施形態では、プロセッサは、モデルの当該部分の選択に際し、確定位置のモデルからの距離の増加関数として、選択部分の分布を設定するよう構成されている。
【０００７】
一部の実施形態では、
信号は第１の信号であり、電極は第１の電極であり、
プロセッサは、心臓内の第２の電極から第２の心電図信号を受信するよう更に構成されており、
プロセッサは、モデルの他の部分の少なくとも一部がマーキングされ、第２の信号の特性を示すように、モデルを表示するよう構成されている。
【０００８】
一部の実施形態では、特性は第１の特性であり、プロセッサは、モデルの他の部分の少なくとも一部がマーキングされ、信号の第２の特性を示すように、モデルを表示するよう構成されている。
【０００９】
一部の実施形態では、プロセッサは、モデルの選択部分に色が付けられて、特性を示すように、モデルを表示するよう構成されている。
【００１０】
一部の実施形態では、信号の特性は信号の優位周波数である。
【００１１】
一部の実施形態では、プロセッサは、モデルの当該部分の選択に際し、優位周波数における、信号の周波数帯の特徴に応答可能に選択部分の密度を設定するよう構成されている。
【００１２】
一部の実施形態では、プロセッサは、モデルの当該部分の選択に際し、優位周波数における、信号の周波数帯の特徴に応答可能に選択部分の分布を設定するよう構成されている。
【００１３】
一部の実施形態では、信号の特性は信号の周期長である。
【００１４】
一部の実施形態では、プロセッサは、選択部分の密度が、確定位置に最も近いモデル上の点からの距離に応じて低下するように、モデルの当該部分を選択するよう構成されている。
【００１５】
本発明の一部の実施形態によれば、方法であって、プロセッサにより、対象の心臓内の電極からの心電図信号を受信することと、心臓の表面のコンピュータモデルの座標系における電極の位置を確定することと、確定位置に応答可能にモデルの部分を選択することであって、選択部分には、モデルの他の非選択部分が組み入れられるようにする、ことと、非選択部分ではなく選択部分がマーキングされて信号の特性を示すようモデルを表示することと、を含む方法が更に提供される。
【００１６】
本発明は、その実施形態の以下の詳細な説明を図面と併せ読むことによって一層十分な理解がなされるであろう。
【図面の簡単な説明】
【００１７】
【図１】本発明の一部の実施形態による、対象の心臓の表面のコンピュータモデルを表示するためのシステムの概略図である。
【図２】本発明の一部の実施形態による、心臓の表面のコンピュータモデルのある部分の概略図である。
【図３】本発明の一部の実施形態による、心臓の表面のコンピュータモデルを表示する技法の概略図である。
【図４】本発明の一部の実施形態による、心臓の表面のコンピュータモデルを表示する技法の概略図である。
【発明を実施するための形態】
【００１８】
概説
本明細書に記載されている実施形態は、電気解剖学的情報を表示するための技法を含み、それにより、心臓の表面の解剖学的構造のコンピュータモデルは、色及び／又は他のマーキングにより「スプレー」されて、表面の電気特性を示す。これらの技法により、表面からのＥＣＧ信号を得る各電極に関して、プロセッサは、表面のモデルの座標系における電極の位置を確定する。次に、プロセッサは、この位置の近傍にあるモデルの一部の部分をマーキングして、優位周波数などの、ＥＣＧ信号の特性を示す。マーキングした部分の密度及び／又は分布は、信号、及び／又はその部分の位置のさまざまな特徴の、モデルからの電極の位置の距離の関数となり得る。例えば：
（ｉ）マーキングした部分の密度は、モデルからの電極の位置の距離の減少関数となり得る。代替的又は追加的に、マーキングした部分の分布、すなわちマーキングした部分によって少なくとも部分的に網羅されるモデルの表面積の量は、この距離の増加関数となり得る。モデルからの電極の距離の関数としてマーキングした部分の密度及び／又は分布を変えることにより、プロセッサは、この距離の直観的な視覚的表示を医師に提供し、これは、ひいては、必要なＥＣＧ信号の質に影響を及ぼす（質は、距離の低下につれて向上する）。
（ｉｉ）ＥＣＧ信号の優位周波数を示すモデルにマーキングするとき、マーキングした部分の密度及び／又は分布は、優位周波数の信号の周波数帯の振幅及び／又は幅の増加関数となり得る。こうして、医師は、優位周波数における振幅及び／又は幅の直観的な表示の提供を受ける。
（ｉｉｉ）マーキングされた部分の密度は、電極の位置に最も近いモデル上の点からの距離につれて低下し得る。
【００１９】
本明細書に記載されている技法は、特に、２本の電極間に位置する組織の領域を表示する一助となる。例えば、２本の電極は、それぞれ、２つの異なる優位周波数を記録する場合、モデルは、第１の電極に最も近い点における第１の色、第２の電極に最も近い点に第２の色、及び２本の電極間に相互に組み入れられる両方の色が付けられ得る。（この中間領域における１色の、他の色に対する相対的優位性は、それらの個々の優位周波数における２つの周波数帯の最近接点及び／又は個々の振幅のそれぞれからの距離などの、上記の因子のいずれかの関数とすることができる）。これにより、本開示の範囲内にはない他の仮説技法に比べると、心臓表面のより正確な表示が実現する。
【００２０】
例えば、１つの仮説技法は、電極間の領域がさまざまな程度の補間で示されるよう、２種の色を補間し得る。例えば、一方の電極が１２Ｈｚを記録し、別の電極が１８Ｈｚを記録する場合、１２Ｈｚは赤色にマッピングされ得、１８Ｈｚは青色にマッピングされ得、２本の電極間の領域は、紫色のさまざまな陰影で示され得る。しかし、このような補間は、心臓表面が１２Ｈｚ〜１８Ｈｚの間のＥＣＧ優位周波数を示すことを含むので、誤解を招くおそれがある。対照的に、本発明の実施形態は、紫色でではなく、赤色と青色の両方で中間領域を着色することができ、このことは、この領域は１２Ｈｚと１８Ｈｚの両方のＥＣＧ優位周波数を示すのであって、１２Ｈｚ〜１８Ｈｚの間の周波数を示すものではないことを示している。
【００２１】
本記載は、電気解剖学的マッピング用途に主に関するが、本明細書に記載されている技法は、表面上の別々の点で得られた測定値を、表面上で、外挿することが必要となる任意の好適な用途に使用することができることが留意される。
【００２２】
システムの説明
本発明の一部の実施形態による、対象２５の心臓２４の表面３０のコンピュータモデル２２を表示するためのシステム２０の概略図である、図１を最初に参照する。
【００２３】
図１は、電気解剖学的マッピング手順を実行していることを図示しており、これにより、医師２７は、心臓２４内のカテーテル２９を操縦し、かつ、カテーテルのさまざまな位置に関して、カテーテル２９の遠位端部における複数の電極３２は、心臓の表面３０からの心臓内ＥＣＧ信号を記録する。通常、カテーテル２９は、１つ又は２つ以上の位置センサ（図示せず）を装備しており、こうして、記録されたＥＣＧ信号はそれぞれ、記録を行った電極３２の位置と関係づけることができる。例えば、カテーテル２９は、１つ又は２つ以上の電磁位置センサを備えることができ、このセンサは、外部磁場の存在下で、センサの個々の位置によって変化する信号を生成する。代替として、各電極３２の位置を追跡するために、プロセッサは、電極と、対象２５に外部接続された複数の電極との間のそれぞれのインピーダンスを、さまざまな異なる場所で確定し、次に、これらのインピーダンス間の比を計算することができる。更にもう１つの選択肢として、プロセッサは、その開示が参照により本明細書に組み込まれている、例えば米国特許第８，４５６，１８２号に記載されているように、電磁追跡及びインピーダンスに基づく追跡の両方を使用することができる。
【００２４】
一部の実施形態では、図１に示されているとおり、カテーテル２９は、その遠位端部に、電極３２のバスケット３１を備えるバスケットカテーテルである。代替として、カテーテル２９は、任意の好適な構成に配置された電極３２を備えた、任意の他の好適な形態を有してもよい。
【００２５】
システム２０は、プロセッサ（ＰＲＯＣ）２８及びディスプレイ２６を備える。ＥＣＧ信号が得られたときに、信号は、カテーテル２９及び電気的インタフェース３５（ポート又はソケットなど）を経由して、プロセッサ２８に流れる。プロセッサ２８は、以下に詳述されているとおり、関連する電極位置情報と共に信号を使用して、モデル２２をマーキングして、表面３０の電気特性を表示する。マッピング手順中、及び／又はマッピング手順の後に、プロセッサ２８は、ディスプレイ２６上にモデル２２を表示することができる。
【００２６】
概して、プロセッサ２８は、単一のプロセッサとして具現化されてもよく、又は連携してネットワーク化若しくはクラスター化された一組のプロセッサとして具現化されてもよい。プロセッサ２８は、通常、中央処理装置（ＣＰＵ）、ランダムアクセスメモリ（ＲＡＭ）、ハードドライブ若しくはＣＤ  ＲＯＭドライブなどの不揮発性の二次記憶装置、ネットワークインタフェース、及び／又は周辺デバイスを備えたプログラムされたデジタルコンピューティングデバイスである。ソフトウェアプログラムを含めたプログラムコード、及び／又はデータは、当分野において公知のとおり、ＣＰＵによる実行及び処理のためにＲＡＭにロードされ、表示、出力、送信又は格納を目的に結果が生成される。プログラムコード及び／又はデータは、例えば、ネットワークを通じて電子形式でコンピュータにダウンロードされてもよく、あるいは代替的又は追加的に、磁気メモリ、光学メモリ若しくは電子メモリなどの非一過性の有形媒体上に提供及び／又は格納されてもよい。このようなプログラムコード及び／又はデータは、プロセッサに提供されると、本明細書に記載されているタスクを行うように構成された、機械若しくは専用コンピュータを生成する。
【００２７】
次に、本発明の一部の実施形態による、プロセッサ２８によって表示されるとおり、表面３０のモデル２２のある部分の概略図である、図２を参照する。通常、モデル２２は、縁部４１及び頂点３８に沿って互いに隣接する、任意の好適な形状（三角形状など）を有する、タイル４０のテッセレーションにより、表面３０の解剖学的構造特徴をモデル化している。（実際には、縁部４１及び頂点３８は、スクリーン上に表示されない）。
【００２８】
上記のとおり、図１を参照すると、プロセッサ２８は、電気解剖学的マッピング手順の間に、電極３２からＥＣＧ信号を受信する。これらの信号の受信に加えて、プロセッサ２８は、これらの信号のそれぞれのスペクトルを計算する、かつ／又は任意の他の好適な方法で信号を処理し、信号の（及び、こうして信号が得られた組織の）特性を確定する。例えば、プロセッサは、信号の個々の優位周波数、及び／又は信号の個々の周期長を確定することができる。次に、プロセッサは、異なる個々の色又は別のマーキングを示して、各信号の特性を表す。続いて、図３〜図４を参照して以下に詳述されているとおり、信号の各々に対して、プロセッサは、信号を得た電極の位置に応答可能なようにモデルの部分を選択して、次に、表示されたマーキングを使用して、モデルの選択部分（しかし、いかなる非選択部分でもない）がマーキングされて特性を示すようにモデル２２を表示する。
【００２９】
例えば、図２は、第１の電極から受信した第１のＥＣＧ信号から得られた、第１の周波数帯３４ａ、及び第２の電極から受信した第２のＥＣＧ信号から得られた、第２の周波数帯３４ｂを示している。プロセッサ２８は、帯域３４ａから、第１の信号がＦ１の優位周波数を有することを確定し、このプロセッサは、帯域３４ｂから、第２の信号がＦ２の優位周波数を有することを確定する。（請求項を含めた、本出願の文脈において、「優位周波数」は、関連周波数帯が局所最大値に到達する任意の周波数とすることができる）。したがって、プロセッサは、周波数Ｆ１を表すための第１のインジケータ３６ａ及び周波数Ｆ２を表すための第２のインジケータ３６ｂを選択する。続いて、プロセッサは、選択部分のそれぞれに、第１のインジケータ３６ａ又は第２のインジケータ３６ｂを重ねることにより、モデル２２の選択部分をマーキングする。
【００３０】
モデルをマーキングするために使用されるインジケータはそれぞれ、図２に示されている記号などの任意の好適な記号、及び／又は任意の好適な文字を含むことができる。例えば、図２に示されている記号を使用する代替として、プロセッサは、例えば、「１２」を重ねることにより、モデルの各選択部分を、Ｆ１又はＦ２の値と重ねて、１２Ｈｚの優位周波数を示すことができる。もう１つの選択肢として、プロセッサは、周波数Ｆ１を示す第１の色、及び周波数Ｆ２を示す第２の色を表示することができ、次に、モデルの選択部分の各々が、第１の色又は第２の色のどちらかで色が付けられて、周波数Ｆ１又は周波数Ｆ２を示すようにモデルを表示する。（プロセッサは、キーを更に表示することができ、これにより、色又はインジケータの各々の意味を表示する）。
【００３１】
一部の実施形態では、図２に示されているとおり、モデル２２の選択部分はそれぞれ、個々のタイル４０を含む。すなわち、プロセッサは、選択したタイル４０のそれぞれの上に、適切なインジケータを色付けする、及び／又は重ね合わせる。代替的又は追加的に、プロセッサは、選択された頂点の各々の上に、適切なインジケータを色付けする、及び／又は重ね合わせることにより、選択した頂点３８にマーキングすることができる。
【００３２】
概要において上に明記しているとおり、概して、本明細書に記載されている技法を使用して、モデルは、色及び／又は他のマーキングにより「スプレー」され、こうして、マーキングの第１のタイプによりマーキングされたモデルの部分は、マーキングの第２のタイプによりマーキングされたモデルの他の部分に組み入れることができるか、又はまったくマーキングされない。例えば、図２は、２種のマーカーが互いに組み入れられるモデルの領域３３を示している。概要において上記に明記されているとおり、このような方法でのマーカーの組み入れは、補間を使用する他の技法に比べて、組織の電気特性の一層正確な視覚的表示を提供する。
【００３３】
本開示の範囲は、電極からの信号を処理することと、リアルタイムで、すなわち、データを採集している手順の間、及び／又はオフラインにして、次いでこの手順を行う間に、それに応答してモデル２２にマーキングすることとを含むことが留意される。
【００３４】
次に、本発明の一部の実施形態による、モデル２２を表示するための技法の概略図である、図３を参照する。
【００３５】
図３の左部分は、心臓の表面３０近傍に位置決めした、第１の電極３２ａ及び第２の電極３２ｂを備える、カテーテル２９のアームを示している。第１の電極３２ａは、表面から第１の距離Ｄ１にある一方、第２の電極３２ｂは、表面から第２の距離Ｄ２にあり、Ｄ２はＤ１より長い。これらの位置では、電極３２ａ及び３２ｂは、表面３０からＥＣＧ信号を得る。
【００３６】
上記のとおり、図１を参照すると、プロセッサ２８は、モデル２２の座標系中に、各電極の位置を確定する。したがって、図３の真ん中の部分は、プロセッサにより確定された、モデル２２の座標系中の、第１の電極３２ａの位置Ｌ１、及び第２の電極３２ｂの位置Ｌ２を示している。
【００３７】
電極の位置を確定した後、プロセッサは、図３の真ん中の部分に更に示されているとおり、確定位置の各々から複数の光線４２を投影する。例えば、球の中心として電極の位置を考えると、プロセッサは、角度（θ、φ）の各対に対する異なる個々の光線４２を投影することができ、この場合、θ（球座標における極角）は、所与の段階サイズ（例えば、５度又は１０度）で０〜１８０度の間を動き、φ（球座標における方位角）は、別の所与の段階サイズ（例えば、５度又は１０度）で０〜３６０度を動き、こうして、光線４２は、球形状に投影される。
【００３８】
投影された光線の各組に関して、プロセッサは、光線がモデルに交差する点４４に応答したモデルの部分を選択する。例えば、プロセッサは、光線の少なくとも１つによって照らされた各タイルを選択することができる。（所与のタイルが、異なる個々の電極位置から投影された２つの光線によって照らされる場合、プロセッサは、衝突の「勝者」（“winner” of the collision）として、光線の１つを無作為に選択することができる）。代替として、交差点４４の各々について、プロセッサは、交差点に最も近い頂点を選択することができる。
【００３９】
モデル２２の関連部分の選択に続いて、プロセッサは、電極の各々について、電極用に選択されたモデルの部分がマーキングされて、電極から受信された信号が、優位周波数などの特性を示すよう、モデル２２を表示する。例えば、図３の右側の部分に示されるように、プロセッサは、電極３２ａの選択部分の各々が、インジケータ３６ａによりマーキングされ、電極３２ａからのＥＣＧシグナルの特性を示し、電極３２ｂに対する選択部分の各々が、インジケータ３６ｂによりマーキングされて、電極３２ｂからの信号の特性を示すように、モデル２２を描写することができる。（簡単にするため、モデル２２の解剖学的構造の詳細は、図３又は図４に示されていない）。
【００４０】
上記の光線による投影技法を使用した結果は、電極の各々に関して、選択された（及びマーキングされた）部分の密度は、電極の確定位置のモデルからの距離の減少関数であるということである。（この「密度」は、例えば、モデル２２の表面積の単位あたり、又はディスプレイ２６上の面積の単位あたりの選択部分の数として、定量化することができる）。光線投影技法の更なる結果は、選択された（及びマーキングされた）部分の分布は、電極の確定位置のモデルからの距離の増加関数であるということである。（この「分布」は、例えば、モデルの表面に沿った測地距離として、又はディスプレイ２６に沿った、電極の位置に最も近いモデル上の点から、この最近接点から最も遠い選択部分までの距離として定量化することができる）。
【００４１】
例えば、図３において、インジケータ３６ａは、電極３２ｂに対し表面３０から電極３２ａの、より距離が短いことの結果として、インジケータ３６ｂよりも高い密度にある。同様に、インジケータ３６ａは、より小さな半径Ｒ１を有する円によって囲まれる一方、インジケータ３６ｂは、より大きな半径Ｒ２を有する円によってしか囲まれていない。
【００４２】
上記の特定の例となる技法があるにもかかわらず、本開示の範囲は、モデルからの電極の位置について距離の減少関数として密度を設定するため、及び／又はこの距離の増加関数としての分布を設定するための任意の好適な技法を含むことが留意される。
【００４３】
次に、本発明の他の実施形態による、モデル２２を表示するための別の技法の概略図である、図４を参照する。
【００４４】
図４は、単一電極が、ＥＣＧ信号であって、その帯域３４ｃが２つの優位周波数である、第１の優位周波数Ｆ３及び第２の優位周波数Ｆ４を示す、ＥＣＧ信号を捕捉するという、シナリオを例示している。これらの２つの優位周波数の特定に対応して、プロセッサは、周波数の各々に対する、２つのインジケータ（又は色）、１つのインジケータ（又は色）を選択する。特定の示された例では、プロセッサは、Ｆ３に対してインジケータ３６ａ、及びＦ４に対してインジケータ３６ｂを選択する。次に、プロセッサは、周波数Ｆ３を示すようマーキングされたモデルの部分が、周波数Ｆ４を示すようマーキングされたモデルの他の部分に組み入れられるよう、モデル２２を表示する。これにより、２つの異なる優位周波数の直観的な視覚的表示を医師に提供する。
【００４５】
概して、上記の技法は、２つの異なる周期長などの、ＥＣＧ信号の２つの異なる特性を、確定する任意のシナリオに適用することができる。言いかえると、電極の近傍におけるモデルのいくつかの部分をマーキングして、第１の特性を示すことができる一方、前者の部分に組み入れられるモデルの他の部分をマーキングして、第２の特性を示すことができる。この技法は、信号の２つ以上の特性が確定される場合にも、同様に適用することができる。
【００４６】
図４は、選択された（及びマーキングされた）モデルの部分の密度及び分布は、信号の個々の優位周波数における周波数帯３４ｃの特徴に応答可能に設定され得ることを更に例示している。例えば、優位周波数の各々に関して、選択部分の密度は、優位周波数における周波数帯の振幅の増加関数となり得る。図４は、より小さな振幅Ａ４を有する周波数Ｆ４のマーキング密度よりも高いものとして、より大きな振幅Ａ３を有する周波数Ｆ３のマーキング密度を示すことによる、その中の一実施形態を例示している。代替的又は追加的に、分布は、優位周波数における周波数帯の幅の増加関数「ｆ」とすることができる。図４は、Ｆ３における幅Ｗ３に対して、Ｆ４における帯域のより大きな幅Ｗ４の結果として、半径Ｒ３によって定量化される、周波数Ｆ３の分布よりも大きな半径Ｒ４により定量化される、周波数Ｆ４の分布を示すことにより、その中の一実施形態を例示している。（幅は、例えば、半値全幅として定量化することができる）。
【００４７】
上記の具体的な実施形態にもかかわらず、優位周波数を示すためにマーキングするとき、マーキングの密度及び分布はそれぞれ、優位周波数における振幅の任意の好適な増加関数若しくは減少関数、優位周波数における幅、及び／又は時間領域若しくは周波数領域における信号の任意の他の好適な特徴となり得ることが留意される。同様に、信号の任意の他の特性（周期長など）を示すためにマーキングするとき、密度及び分布の各々は、任意の好適な関数を、時間領域又は周波数領域における、信号の任意の好適な特徴に適用することにより設定することができる。
【００４８】
一部の実施形態では、図４を参照した上記の技法を行うため、プロセッサは、電極の位置に最も近いモデル上の点を最初に見つける。次に、プロセッサは、モデルのある部分がマーキングされる可能性があり得る最近接点からの最大測地距離を計算する。（この距離は、マーキング分布に相当する）。次に、プロセッサは、最近接点の算出距離内のモデルのすべての関連部分にわたって（例えば、タイル又は頂点のすべてにわたって）繰り返し処理を行い、所望のマーキング密度に基づいて、この部分をマーキングするかどうかを決定する。例えば、プロセッサは乱数を生成して、次に、この乱数を所望のマーキング密度の関数である閾値と比較することができる。この比較に対応して、プロセッサは、その部分をマーキングするかどうかを決定することができる。（閾値が所望のマーキング密度の関数となることへの代替として又は追加として、乱数の生成に由来する分布は、所望のマーキング密度の関数となり得る）。
【００４９】
例えば、最近接点の算出距離内のモデルの個々の関連部分に関して、プロセッサは、０〜１の間の均一な分布から乱数を生成することができる。次に、プロセッサは、この数字が特定の閾値未満になるかどうかを確定することができる。該当する場合、プロセッサは、その部分をマーキングすることができる。そうでない場合、プロセッサは、その部分にマーキングしないようにすることができる。閾値は、より高いマーキング密度に対して１に近くすることができ、より低いマーキング密度に対して０に近くすることができる。代替として、マーキングしたモデルの部分の分布を決定するために、より多くの複雑なアルゴリズムを使用してもよい。
【００５０】
信号の特徴に応答可能に密度を設定する代替として又は追加として、密度は、電極の位置に最も近いモデル上の点からの距離と共に低下し得る。
【００５１】
本発明が、本明細書上に具体的に示されて記載されたものに限定されない点が、当業者により理解されよう。むしろ、本発明の実施形態の範囲は、本明細書上に記載されているさまざまな特徴の組み合わせ及び部分的組み合わせの両方、並びに上記の説明を一読すると当業者には想起されると思われる、従来技術には存在しない特徴の変更例及び改変例を含む。参照により本特許出願に援用される文献は、これらの援用文献において、いずれかの用語が本明細書において明示的又は暗示的になされた定義と矛盾して定義されている場合には、本明細書における定義のみを考慮するものとする点を除き、本出願の一部とみなすものとする。
【００５２】
〔実施の態様〕
（１）  システムであって、
電気的インタフェースと、
プロセッサであって、
前記電気的インタフェースを介して、対象の心臓内の電極からの心電図信号を受信することと、
前記心臓の表面のコンピュータモデルの座標系における前記電極の位置を確定することと、
前記確定位置に応答可能に前記モデルの部分を選択することであって、前記選択部分には、前記モデルの他の非選択部分が組み入れられるようにする、ことと、
前記非選択部分ではなく前記選択部分がマーキングされて、前記信号の特性を示すように前記モデルを表示することと、
を行うように構成されているプロセッサと、
を備えた、システム。
（２）  前記プロセッサが、
前記確定位置から複数の光線を投影することと、
前記光線が前記モデルと交差する点に応答して、前記モデルの前記部分を選択することと、
により、前記モデルの前記部分を選択するよう構成されている、実施態様１に記載のシステム。
（３）  前記プロセッサが、前記モデルの前記部分の選択に際し、前記確定位置の前記モデルからの距離の減少関数として、前記選択部分の密度を設定するよう構成されている、実施態様１に記載のシステム。
（４）  前記プロセッサが、前記モデルの前記部分の選択に際し、前記確定位置の前記モデルからの距離の増加関数として、前記選択部分の分布を設定するよう構成されている、実施態様１に記載のシステム。
（５）  前記信号が第１の信号であり、前記電極が第１の電極であり、
前記プロセッサが、前記心臓内の第２の電極から第２の心電図信号を受信するよう更に構成されており、
前記プロセッサは、前記モデルの他の部分の少なくとも一部がマーキングされ、前記第２の信号の前記特性を示すように、前記モデルを表示するよう構成されている、
実施態様１に記載のシステム。
【００５３】
（６）  前記特性が第１の特性であり、前記プロセッサは、前記モデルの他の部分の少なくとも一部がマーキングされ、前記信号の第２の特性を示すように、前記モデルを表示するよう構成されている、実施態様１に記載のシステム。
（７）  前記プロセッサが、前記モデルの前記選択部分に色が付けられて、前記特性を示すように、前記モデルを表示するよう構成されている、実施態様１に記載のシステム。
（８）  前記信号の前記特性が前記信号の優位周波数である、実施態様１に記載のシステム。
（９）  前記プロセッサが、前記モデルの前記部分の選択に際し、前記優位周波数における、前記信号の周波数帯の特徴に応答可能に前記選択部分の密度を設定するよう構成されている、実施態様８に記載のシステム。
（１０）  前記プロセッサが、前記モデルの前記部分の選択に際し、前記優位周波数における、前記信号の周波数帯の特徴に応答可能に前記選択部分の分布を設定するよう構成されている、実施態様８に記載のシステム。
【００５４】
（１１）  前記信号の前記特性が前記信号の周期長である、実施態様１に記載のシステム。
（１２）  前記プロセッサは、前記選択部分の密度が、前記確定位置に最も近い前記モデル上の点からの距離に応じて低下するように、前記モデルの前記部分を選択するよう構成されている、実施態様１に記載のシステム。
（１３）  方法であって、
プロセッサにより、対象の心臓内の電極からの心電図信号を受信することと、
前記心臓の表面のコンピュータモデルの座標系における前記電極の位置を確定することと、
前記確定位置に応答可能に前記モデルの部分を選択することであって、前記選択部分には、前記モデルの他の非選択部分が組み入れられるようにする、ことと、
前記非選択部分ではなく前記選択部分がマーキングされて前記信号の特性を示すよう前記モデルを表示することと、
を含む、方法。
（１４）  前記モデルの前記部分を選択することが、
前記確定位置から複数の光線を投影することと、
前記光線が前記モデルと交差する点に応答して、前記モデルの前記部分を選択することと、
を含む、実施態様１３に記載の方法。
（１５）  前記モデルの前記部分を選択することが、前記確定位置の前記モデルからの距離の減少関数として、前記選択部分の密度を設定することを含む、実施態様１３に記載の方法。
【００５５】
（１６）  前記モデルの前記部分を選択することが、前記確定位置の前記モデルからの距離の増加関数として、前記選択部分の分布を設定することを含む、実施態様１３に記載の方法。
（１７）  前記信号が第１の信号であり、前記電極が第１の電極であり、
前記方法が、前記心臓内の第２の電極から第２の心電図信号を受信することを更に含み、
前記モデルを表示することは、前記モデルの他の部分の少なくとも一部がマーキングされて、前記第２の信号の前記特性を示すように、前記モデルを表示することを含む、実施態様１３に記載の方法。
（１８）  前記特性が第１の特性であり、前記モデルを表示することは、前記モデルの他の部分の少なくとも一部がマーキングされて、前記信号の第２の特性を示すよう、前記モデルを表示することを含む、実施態様１３に記載の方法。
（１９）  前記モデルを表示することが、前記モデルの前記選択部分に色が付けられて前記特性を示すよう、前記モデルを表示することを含む、実施態様１３に記載の方法。
（２０）  前記信号の前記特性が、前記信号の優位周波数である、実施態様１３に記載の方法。
【００５６】
（２１）  前記モデルの前記部分を選択することが、前記優位周波数における前記信号の周波数帯の特徴に応答可能に、前記選択部分の密度を設定することを含む、実施態様２０に記載の方法。
（２２）  前記モデルの前記部分を選択することが、前記優位周波数における前記信号の周波数帯の特徴に応答可能に、前記選択部分の分布を設定することを含む、実施態様２０に記載の方法。
（２３）  前記信号の前記特性が前記信号の周期長である、実施態様１３に記載の方法。
（２４）  前記モデルの前記部分を選択することは、前記確定位置に最も近い前記モデル上の点からの距離に応じて前記選択部分の密度が低下するように、前記モデルの前記部分を選択することを含む、実施態様１３に記載の方法。
【図１】
2019111333.tif 000003
【図２】
2019111333.tif 000004
【図３】
2019111333.tif 000005
【図４】
2019111333.tif 000006
【外国語明細書】
2019111333000001.pdf